(57)【要約】【課題】構成部品数が少なく、解体・持ち運びが容易でありかつ簡便に組立・使用できるカップ・小物ホルダーを提供することを課題とする。【解決手段】  カップ・ボトル・小物ホルダーは、カップ等支持部品１０とそれを保持する保持部品２０とから構成され、保持部品を構成するシート固定ストレート部２３と有開口部２１の端部および端部突起２５とで、保持部品は隣接する座席シート間に挟持され固定される。保持部品に設けられている開口２７にカップ等支持部品の一端を嵌合挿入することにより、保持部品はカップ等支持部品を回転自在に保持する。カップ等支持部品には輪状等の形状をした部分があり、カップ等を保持する。また、カップ等支持部品と保持部品との間に間隔ピース３０を設け、カップ等を座席シート・脚下に回転・移動・保持することを可能にした。【選択図】    図１
2013046648.tif 000002
【特許請求の範囲】
【請求項１】
カップおよびまたはボトル並びにまたは小物を支持する部品と該部品を保持する保持部品とからなり、該保持部品は隣接する座席シートの隙間や空隙に取付け可能なものであり、カップおよびまたはボトル並びにまたは小物を支持する部品の一端は該保持部品に設けられた開口に回転自在に嵌合挿入されること、を特徴とするカップ・ボトル・小物ホルダー
【請求項２】
請求項１記載の発明において、カップおよびまたはボトル並びにまたは小物を支持する部品と該部品を保持する保持部品の間に間隔ピースを設けたこと、を特徴とするカップ・ボトル・小物ホルダー
【発明の詳細な説明】
【技術分野】
【０００１】
本願発明は、スポーツ観戦等の時に、飲料カップ・ボトル・カメラ等を簡易に保持できる、可搬かつ解体・組立が容易な、カップ・小物ホルダーに関する。
【背景技術】
【０００２】
観光バスの場合には、前の席の背面に折り畳み式の飲料カップホルダーがあり、飲み物の利用の便が計られているが、野球等のスポーツ観戦の席、特に普通席、は単なる席だけであって、飲料カップを置く場所すら存在してしない。
【０００３】
このため、観戦時には、飲料カップ・ボトル等は、手に持ったままか、自己の膝に置くか、自己の席の足元に置くか、あるいは自己のバッグに収納する必要があり、飲料カップ・ボトル等は、結構扱いにくい物となる。特に、ビール等のカップに入った飲料は、自己の席の足元に置いても不安定であり、周辺にこぼす怖れが多分にあり、結局手に持って、飲みながら、観戦・応援することになる。
【０００４】
また、自己の席の足元に置いた場合は、他人の通行の際にはその度ごとに、取り上げなければならず、面倒な動作であって観戦の興趣を削ぐことにもなり、一方、他人にもかなりの遠慮を強いることにもなりかねない。
【０００５】
さらに、メガホン等の応援グッズも手軽に整理して置くことができれば、観戦の興趣が一段と湧くことになる。
【０００６】
このような場合、簡単に組立・設置することができ、隣席の人にも迷惑をかけずに使用でき、かつ、不使用時には簡単に解体し纏めて収納して持ち運びできる物があれば好都合である。
【先行技術文献】
【特許文献】
【０００７】
特許電子図書館の公報テキスト検索（公開特許公報）で、以下の条件で検索し、個個について調査したが、該当すると思料できるものはありません。
「要約と請求の範囲」  「カップ  コップ」
ＡＮＤ  「要約と請求の範囲」  「受  支持」
ＡＮＤ  「ＩＰＣ」              Ｂ６５Ｄ？
発見された件数は、６４３件
【発明の概要】
【発明が解決しようとする課題】
【０００８】
本願発明は、上記のような事情のもとで考えだされたもので、構成部品数が少なく、解体・持ち運びが容易であり、かつ、簡便に組立・使用できるカップ・小物ホルダーを提供することを課題とする。
【課題を解決するための手段】
【０００９】
カップ・ボトル・小物（以下適宜「カップ等」と称する。）を支持する部品（以下適宜「カップ等支持部品」と称する。）と該部品を保持する保持部品とを別個の物（部品）とすることにより、解体・組立を容易にし、かつ、全体として嵩が小さくなるようにして簡単に収納・持ち運びできるようにした。
【００１０】
カップ等支持部品を保持する保持部品は、隣接する座席シートの間の隙間・空隙に取付け可能なものにして、既存の観戦席に容易に取付けられるようにした。
【００１１】
カップ等支持部品は、これを保持する保持部品に設けられた開口に差し込むだけで、一体化して使用に供することができ、さらに、カップ等支持部品を保持部品に設けられた開口を利用して回転するだけで、水平方向に自在に移動させてカップおよびまたは小物を任意の位置に保持できるようにした。
【００１２】
また、保持部品に溝または窪みを設けることにより、一定の回転位置に、カップ等支持部品を半固定的に保持できるようにした。
【００１３】
カップ等支持部品と保持部品の間に、間隔ピースを取付けることにより、カップ等を脚の下および座席の下に置くことが出来るようにした。
【発明の効果】
【００１４】
カップ等支持部品と該部品を保持する保持部品とを別個の物（部品）としたことから、全体として嵩が小さくなり、持ち運びが容易となる。
【００１５】
構成部品数を少なくしたことから、簡単に解体、纏めて収納・持ち運びができ、使用するときには、簡便に組立・使用できる。
【００１６】
カップ等支持部品を保持する保持部品は、隣接する座席シートの間の隙間・空隙を利用して取付け可能としたことから、既存の観戦席に容易に取付けられるようになった。
【００１７】
保持部品に設けられた開口にカップ等支持部品の一端を嵌合挿入したことから、カップ等支持部品を回転するだけで、水平方向に自在に移動させてカップおよびまたは小物を任意な位置に保持できるようになった。
【００１８】
カップ等支持部品を保持する保持部品は、隣接する座席シートの間の隙間・空隙に取付け可能なものにしたことから、隣人に格段の不自由を強いることもなく、隣人にそれほどの遠慮をすることも無く、本願発明品を使用することができる。
【００１９】
カップ等支持部品を保持する保持部品には、開口が設けられていることから、アイデアによってはカップ等支持部品以外の物も取付け可能なものである。
例えば、開口にピン状のものを嵌合挿入し、そのピン状のものに小物、例えば、カメラ、のストラップを引っかけて置くこともできる。
【００２０】
さらに、カップ・ボトル等を足元に置くこともなくなるから、他人の往来を損なうおそれが少なくなり、内容物をこぼす心配も格段に少なくなった。
【００２１】
カップ等支持部品と保持部品の間に、間隔ピースを取付けることにより、カップ等を脚の下および座席の下に置くことが出来るようにしたことから、使い勝手を一段と向上させることが可能となった。
【図面の簡単な説明】
【００２２】
【図１】図１は、本願発明のカップ・小物ホルダーの全体を示す斜視図である。
【図２】図２は、保持部品２０を示す斜視図である。
【図３】図３は、保持部品２０を示す平面図である。
【図４】図４は、保持部品２０を示す側面図である。
【図５】図５は、保持部品２０を座席シート間の隙間に挟持固定する際の状況を示す側面図である。
【図６】図６は、保持部品２０を座席シート間の隙間に挟持固定された状況を示す側面図である。
【図７】図７は、保持部品２０を座席シート間の空隙に挟持固定された状況を示す斜視図である。
【図８】図８は、図７におけるＡ−Ａ矢視の断面図である。
【図９】図９は、保持部品２０に取付けられた間隔ピース３０を示す斜視図である。
【図１０】図１０は、溝または窪み２８を設けた保持部品２０を示す斜視図である。
【発明を実施するための形態】
【００２３】
カップ等支持部品１０とそれを保持する保持部品２０、および座席シート５１等との関係を図１に示す。
保持部品には、カップ等支持部品を支持するために、有開口部２１に複数の開口２７が設けられている（図２）。
この開口の一つに、カップ等支持部品の一端を嵌合挿入することにより、カップ等支持部品は保持部品によって支持されるようになる（図１）。
また、カップ等支持部品の一端を、開口に嵌合挿入したことから、カップ等支持部品は開口回りに自在に回転可能となる。
よって、使用者は自己の好きな位置にカップ等支持部品を回転移動・保持させることができ、通行人があるときは、任意な位置に回転変更できることから、使用時に便なることは勿論、他の人の通行に邪魔になることもない。
【００２４】
保持部品２０は、図２に示すように、有開口部２１と、固定ストレート部２３ および 端部突起２５とから構成される。
有開口部にはカップ等支持部品１０の一端が嵌合挿入される開口２７（複数）が設けられており、固定ストレート部のストレート部は隣接する座席シート５１の側面の隙間に挟持されるようにほぼ一定の厚さで、かつ、テーパ状の形状をしており、端部突起は、隣接する座席シートの下面端の間の空隙に挟持されるように、固定ストレート部に対してＴ型になるように構成されている。
開口の径は、カップ等支持部品の棒径より僅かに大きな径であって、通常は４ｍｍないし６ｍｍ程の径が採用され、その開口は、傾斜角の異なるものも含め、複数設けられている。
開口には、通常は貫通しない開口が用いられるが、貫通した開口であってもよい。
また、開口は、天地逆にしても使えるように、上下の両方向から開口されている。
図２に示す有開口部は、円弧状の形状が採用されているが、他の形状、例えば折線形状、も用いられる。
また、有開口部は、必要に応じ、図１０に示すような溝または窪み２８を設けて、一定の回転位置に、カップ等支持部品を半固定的に保持できるようにしてもよい。
保持部品は、プラスチック素材を成型加工したものが使われるが、アルミ等の金属素材を使用しても良い。
保持部品の大きさは、幅・高さは２０ｍｍないし３０ｍｍ程度、長さは１００ｍｍないし１５０ｍｍ程度である。
【００２５】
保持部品２０のシートへの固定方法（その１）は、以下のように行う。
隣接する座席シート５１の間には、通常、何がしかの隙間が存在する。
この方法は、隣接する座席シートの間にシート縁に沿って前後方向に存在する隙間によって保持部品が挟持され、かつ、座席シート上面端および座席シート下面端で保持されるようにしたものである。
先ず図５に示すように、座席シートの前面から、保持部品の端部突起２５を座席シート下面端の空隙に挿入し、シート固定ストレート部２３を、立てたまま隣接する座席シート間の隙間に介在するようにしながら、座席シートの後方へ押し込んでいく。
適当な位置にきたら、立てていた保持部品を座席シート前方へ倒すと、図６のように、シート固定ストレート部は隣接する座席シートに挟持されながら、有開口部２１の端部と、端部突起２５とで、保持部品は隣接する座席シートの間に強固に固定される。
あとは、前述のカップ等支持部品１０を嵌合挿入し、カップ６１等を置いて、使用に供するだけとなる。
【００２６】
保持部品２０のシートへの固定方法（その２）は、以下のように行う（図７、図８）。
この方法は、隣接する座席シート５１の間の隙間が小さく、固定方法（その１）が適用しにくい場合に有用な方法である。
この場合は、隣接する座席シートの二つの側面と座席シート保持板５２の上面との間で形成される三角柱形の空隙（図８）を利用する固定方法である。
また、この場合、保持部品のシート固定ストレート部２３は細いことから、アタッチメント２９をシート固定ストレート部に覆って使用すれば、強度も補強されるので好都合である。
上記空隙に、アタッチメント２９をシート固定ストレート部２３に取付けた（図８）保持部品を、座席シート前面から後方へ押し込んでいくと、保持部品は隣接する座席シートの二つの側面と座席シート保持板との間で挟持されることになる。
アタッチメントの外輪郭の形状としては、図８で示す形状の他、三角形・五角形等の多角形も使用される。
なお、本願発明では、保持部品のシートへの固定方法（その１）と固定方法（その２）の双方での使用の便を図るため、保持部品は天地逆にして使用できるようにデザインされている。
なお、この場合は、保持部品の一部は座席シートの前部より少々前に出っ張ることになるが、使用者の膝が座席シートの前部より前にあるので、使用上では、それ程の支障は生じない。しかし、設計に際しては、そのような支障を極力小さくなるように保持部品は設計される。
【００２７】
カップ等支持部品１０は、カップ等を保持する部分とそれからほぼ直角に曲げた他端部とからなり、そのほぼ直角に曲げた他端部が保持部品２０の開口２７に嵌合挿入されると一体化され、カップ・小物ホルダーとして使用に供されることになる。
カップ等支持部品の素材は、プラスチック素材を成型加工したものが使われるが、アルミ等の金属棒を使用することもできる。
カップ等支持部品のほぼ直角に曲げた他端部の棒状素材の径は、用いられる素材によって異なるが、通常は４ｍｍないし６ｍｍ程の径が採用され、
保持部品の開口に嵌合挿入できる径の物が採用される。
【００２８】
カップ等支持部品１０の実施例１は、カップ等を保持する部分は、棒状素材を輪状にし、２つの輪状の部分を８の字形にしたものである（図１）。
プラスチック素材を成型加工したカップ等支持部品の場合は、輪状の部分の径は、球場等で販売されるカップ径に合わせてあるが、アルミ等の金属棒を使用した場合は、８の字形の端は一体化されずに解放されているので、適時、適当な径に変形することが可能となり、径をカップ等の大きさに合わせることもでき、また、径を小さくして輪状のスプリング力を強めてカップ等の保持力を大きくすることもできる。
また、アルミ等の金属棒を使用し、かつ、８の字形の端は一体化されずに解放されている場合は、一の輪状を大きくすれば他方の輪状は小さくなるという効果もある。
なお、ペットボトルを保持するために、カップ等支持部品にネット１３を設けてもよいし、簡単な取付け紐を利用して応援グッズ６２を保持することもできる（図１）。
【００２９】
カップ等支持部品１０の実施例２について説明する（図１）。
この実施例２は、実施例１の８の字形の輪状の１つを、カップ以外の小物、例えばカメラ、の保持に供するため、適当な形状、本実施例では矩形状、にしたものである。
この場合は、実施例１の８の字形の輪状のものより、出っ張りが小さいため、扱いが容易であるという特徴がある。
また、実施例１と実施例２を適宜混用することもできる。
なお、輪状一つとすることもできる。
【００３０】
保持部品２０に設けられている開口２７にピン状のものを嵌合し、そのピン状のものに小物、例えば、カメラ、のストラップを引っかけて置くこともできる（詳細省略）。
【００３１】
カップ等支持部品１０と保持部品２０の間に、間隔ピース３０を取付けることにより、カップ等を脚の下および座席の下に置くことが出来るようにしたが、その実施例を図９に示す。
間隔ピースは、カップ等支持部品の一端が嵌合挿入されて使用に供されても、カップ等を脚の下および座席の下に回転移動できるように、曲げ加工が施されている。
間隔ピースの一端は、カップ等支持部品の一端と同様であるが、間隔ピースの他端は、カップ等支持部品の一端が嵌合挿入されるように、筒状になっている。勿論、筒状の他の固定方法であってもよい。
【産業上の利用可能性】
【００３２】
野球などのスポーツ観戦を楽しくする商品となるものであり、産業上の利用可能性は極めて高いものである。
【００３３】
本願発明は、製品化するに際しては小規模の製造業を活性化するのに役立つものであって、産業上有益なものである。
【符号の説明】
【００３４】
１０    カップ等支持部品
１３    ネット
２０    保持部品
２１    有開口部
２３    シート固定ストレート部
２５    端部突起
２７    開口
２８    溝または窪み
２９    アタッチメント
３０    間隔ピース
５１    座席シート
５２    座席シート保持板
６１    カップ
６２    応援グッズ
【図１】
2013046648.tif 000003
【図２】
2013046648.tif 000004
【図３】
2013046648.tif 000005
【図４】
2013046648.tif 000006
【図５】
2013046648.tif 000007
【図６】
2013046648.tif 000008
【図７】
2013046648.tif 000009
【図８】
2013046648.tif 000010
【図９】
2013046648.tif 000011
【図１０】
2013046648.tif 000012